(57)【要約】【課題】  本発明は、人が出入りする場所に設置の器具のオンオフ制御する器具制御方法を提供する。【解決手段】  器具のオンオフ制御方法は、照明器具制御部Ｓに無線タグ検出センサと、その検出センサにより無線タグが存在する存在信号と従業員の識別符号（ＩＤ）を照明器具制御装置に送信する送信器を備え、（ａ）存在信号検知手段によって、「存在信号とＩＤ」を発した照明器具制御部Ｓを検出し、（ｂ）「ＩＣタグ」の存在位置の推定手段で、前記存在信号を検知した照明器具制御部から「ＩＣタグ」の位置を推定し、（ｃ）照明器具のオンオフ手段で、該当する照明器具を点灯する。【選択図】    図１
2007103236.tif 000002
【特許請求の範囲】
【請求項１】
室内に設置してある器具をオンオフ制御するにあたって、照明器具制御部Ｓを室内に設置し、この照明器具制御部Ｓには、無線タグ検出センサと、その検出センサにより無線タグが存在する存在信号と従業員の識別符号（ＩＤ）を照明器具制御装置に送信する送信器を備え、
前記照明器具制御装置によって、
（ａ）存在信号検知手段によって、「存在信号とＩＤ」を発した照明器具制御部Ｓを検出し、
（ｂ）「ＩＣタグ」の存在位置の推定手段で、前記存在信号を検知した照明器具制御部から「ＩＣタグ」の位置を推定し、
（ｃ）照明器具のオンオフ手段で、該当する照明器具を点灯することを特徴とする器具のオンオフ制御方法。
【請求項２】
「ＩＣタグ」の存在位置の推定手段を、存在信号を検知した照明器具制御部の重心位置とすることを特徴とする請求項１の器具のオンオフ制御方法。
【請求項３】
「ＩＣタグ」の存在位置の推定手段を、存在信号を検知した照明器具制御部のＸ軸、Ｙ軸に対し、最大位置と最小位置の中心とすることを特徴とする請求項１の器具のオンオフ制御方法。
【請求項４】
室内に設置してある器具をオンオフ制御するにあたって、前記器具には無線タグのセンサと送信器と受信器と制御器を備え、
前記無線タグのセンサで従業員が所持する無線タグを検出すると、前記送信器によって、他の器具に付設の受信器に向けて、無線タグ存在信号と機器の識別符号（ＩＤ）を送信し、
前記受信器で、前記無線タグ存在信号と機器の識別符号（ＩＤ）を受信すると、予め設定してある照明器具を点灯することを特徴とする器具のオンオフ制御方法。
【発明の詳細な説明】
【技術分野】
【０００１】
本発明は、人が出入りする場所に設置の器具（例えば、照明器具等）のオンオフ制御方法に関する。
【背景技術】
【０００２】
従来、広い事務室などで、多数の人が業務に従事していて、出社、退社時間がまちまちな場合、室内器具（例えば、照明器具等）のオンオフの管理は煩雑で無駄な電力消費をもたらす。これを防ぐためには、人の有無を検知して、自動的に該当する照明器具を点灯消灯（オンオフ）すれば、無駄な電力消費を防げられる。
しかしながら、大きいフロアーに多数の照明器具が天井に取り付けられている場合、照明器具一つ一つに人の検知器とスイッチ回路を取り付けると、多大の費用がかかる。
【０００３】
そこで、係る課題を解消するために、特開２００４−０４７２１８号公報に開示の発明がある。
この公報には、複数の室内器具（照明器具）を設置の室内において、その室内を適宜のエリアに分割し、その分割したエリアに、人検知ユニットを天井に設置する。
そして、人が、その室に入場すると、前記人検知ユニットが人の存在を検出し、その信号を、照明器具のオンオフ制御を行う照明制御装置に送ることによって、照明制御装置は該当する照明器具を点灯する。
反対に、人検知ユニットが人の不存在を検出すると、照明制御装置は該当する照明器具を消灯する。
【０００４】
【特許文献１】特開２００４−０４７２１８号公報
【発明の開示】
【発明が解決しようとする課題】
【０００５】
前記人検知ユニットを、適宜のエリアに分割の室内の天井に設置することは、手間暇がかかる。
そこで、人検知ユニットを簡便に設置でき、且つ、室内器具（照明器具等）の点灯（オン）と消灯（オフ）を制御する方法を提供する。
【課題を解決するための手段】
【０００６】
請求項１の器具のオンオフ制御方法は、照明器具制御部Ｓを室内に設置し、この照明器具制御部Ｓには、無線タグ検出センサと、その検出センサにより無線タグが存在する存在信号と従業員の識別符号（ＩＤ）を照明器具制御装置に送信する送信器を備えている。
そして、照明器具制御装置によって、
（ａ）存在信号検知手段によって、「存在信号とＩＤ」を発した照明器具制御部Ｓを検出する。
（ｂ）次に、「ＩＣタグ」の存在位置の推定手段で、前記存在信号を検知した照明器具制御部から「ＩＣタグ」の位置を推定する。
（ｃ）そして、照明器具のオンオフ手段で、該当する照明器具を点灯する。
又、請求項２の器具のオンオフ制御方法は、「ＩＣタグ」の存在位置の推定手段を、存在信号を検知した照明器具制御部の重心位置とする。
又、請求項３の器具のオンオフ制御方法は、「ＩＣタグ」の存在位置の推定手段を、存在信号を検知した照明器具制御部のＸ軸、Ｙ軸に対し、最大位置と最小位置の中心とする。
【０００７】
請求項４の器具のオンオフ制御方法は、室内に設置してある器具をオンオフ制御するにあたって、前記器具には無線タグのセンサと送信器と受信器と制御器を備えている。そして、無線タグのセンサで従業員が所持する無線タグを検出すると、送信器によって他の器具に付設の受信器に向けて、無線タグ存在信号と機器の識別符号（ＩＤ）を送信する。そして、受信器で、前記無線タグ存在信号と機器の識別符号（ＩＤ）を受信すると、予め設定してある照明器具を点灯する。
【発明の効果】
【０００８】
請求項１の器具のオンオフ制御方法は、従業員の存在位置を推定し、該当する照明器具を点灯するので、省電力化を図ることができる。
又、請求項２の室内器具制御方法は、従業員の存在位置の推定に重心を用い、請求項３の室内機器のオンオフ制御方法では最大値と最小値の中心を採用する。
又、請求項４の器具のオンオフ制御方法は、各機器同士の通信によって、機器のオンオフ制御ができるので、照明器具制御装置が不要である。
【発明を実施するための最良の形態】
【０００９】
（第１の実施の形態）
以下、添付図面に示す実施の形態例に基づき、この発明を詳細に説明する。
本実施の形態は、室内器具として照明器具を例にとって説明する。
図１（Ａ）は、照明器具Ｒとその照明器具Ｒに付設の照明器具制御部Ｓの関係を示す概念図であり、図１（Ｂ）は室内に配置され、天井から吊り下げてある照明器具Ｒ1〜Ｒ16を示す図であり、図１（Ｃ）は照明器具制御装置１０と照明器具ＲのスイッチＴの概念図である。
【００１０】
照明器具Ｒには、照明器具制御部Ｓが付設してあると共に、照明具（蛍光灯）１で照明する。尚、この照明器具制御部Ｓは照明器具Ｒとは別途に天井に取り付けてもよい。
この照明器具制御部Ｓには、例えば、従業員が所持する身分証明書に付設の「無線タグ（例えば、ＩＣタグ等）」を検出する無線タグ検出センサ２と共に、この無線タグの「存在信号」とその「従業員の識別符号（ＩＤ）」を照明器具制御装置１０に送信する送信器３を備えている。
【００１１】
従業員が仕事をする室内には、図１（Ｂ）に示すように、照明器具Ｒ1〜Ｒ16が配置してある。又、前記照明器具制御装置１０に付設の設置場所記憶部には、図２（Ａ）に示すように、室内のある箇所を原点に、ここでは左下隅を原点に、前記各々の照明器具Ｒ1〜Ｒ16の位置情報（ｘ、ｙ）が記憶してある。
又、前記照明器具制御装置１０は、後記で詳述するが、前記照明器具Ｒ1〜Ｒ16の点灯消灯（オンオフ）するスイッチの割付が、前記設置場所記憶部に照明器具Ｒ1〜Ｒ16に対応して記憶してある。
ここでは、各照明器具Ｒ1〜Ｒ16に対し、スイッチＴA〜ＴPを割り当てる。
【００１２】
前記照明器具制御部Ｓは、図１（Ｂ）に示すように、室内に設置してある。そして、前記照明器具制御装置１０に付設の設置場所記憶部には、図２（Ｂ）に示すように、前記照明器具Ｒ1〜Ｒ16と同じ原点で、照明器具制御部Ｓ1〜Ｓ8の位置情報（ｘ、ｙ）が記憶してある。
【００１３】
次に、前記構成における照明器具Ｒのオンオフの制御について記載する。
尚、従業員が所持している「ＩＣタグ」を検出する無線タグ検出センサ２は、感度にばらつきがある。無線タグ検出センサ２が「ＩＣタグ」を検知し得る範囲（検知距離）は一定ではなく、様々である。即ち、無線タグ検出センサ２は感度が異なるので、室内に入った従業員の位置から同じ距離であっても、存在信号を発しない場合があることを前提にしている。
（１）存在信号検知手段
従業員が室内に入ると、照明器具制御部Ｓに付設の無線タグ検出センサ２は、従業員が所持している「ＩＣタグ」を検知し、「存在信号」と「従業員の識別符号（ＩＤ）」を送信器３から照明器具制御装置１０に送信する。
ここで、例えば、存在信号を発した照明器具制御部Ｓを「Ｓ2、Ｓ3、Ｓ4、Ｓ6、Ｓ7」とする。
照明器具制御装置１０は、前記の存在信号検知手段によって、「ＩＤ」と「存在信号」の有無によって、何れの照明器具制御部Ｓからの信号であるか判る。
即ち、複数の従業員が室内に居ても、「従業員のＩＤ」によって、存在信号を発した照明器具制御部Ｓを区別できる。
【００１４】
（２）「ＩＣタグ」の存在位置の推定手段
「ＩＣタグ」の存在位置は、「従業員のＩＤ」によって区別し、特定の「従業員のＩＤ」に対し、存在信号を検知した照明器具制御部Ｓを「Ｓ2、Ｓ3、Ｓ4、Ｓ6、Ｓ7」とする。
（イ）推定方法１
この推定方法１は、前記存在信号を検知した照明器具制御部「Ｓ2、Ｓ3、Ｓ4、Ｓ6、Ｓ7」の重心を求める。具体的には、照明器具制御部「Ｓ2、Ｓ3、Ｓ4、Ｓ6、Ｓ7」の位置は、図２（Ｂ）に示すように記憶してある。
そこで、先ず、Ｘ軸方向の重心Ｘｇを求めると、
Ｘｇ＝（Ｓ2（ｘ）＋Ｓ3（ｘ）＋Ｓ4（ｘ）＋Ｓ6（ｘ）＋Ｓ7（ｘ））／５
Ｙ軸方向の重心を求めると、
Ｙｇ＝（Ｓ2（ｙ）＋Ｓ3（ｙ）＋Ｓ4（ｙ）＋Ｓ6（ｙ）＋Ｓ7（ｙ））／５
で求まる。
この位置（Ｘｇ、Ｙｇ）が、「ＩＣタグ」の存在位置とする。
【００１５】
（ロ）推定方法２
この推定方法２は、前記存在信号を検知した照明器具制御部「Ｓ2、Ｓ3、Ｓ4、Ｓ6、Ｓ7」に対し、照明器具制御部「Ｓ2、Ｓ3、Ｓ4、Ｓ6、Ｓ7」のＸ軸方向の最大値と最小値を求める。そして、最大値と最小値の加算値の半分をＸ軸方向の位置とする。
同様に、Ｙ軸方向の位置は、照明器具制御部「Ｓ2、Ｓ3、Ｓ4、Ｓ6、Ｓ7」のＹ軸方向の最大値と最小値を求める。そして、最大値と最小値の加算値の半分をＹ軸方向の位置とする。
具体的には、照明器具制御部「Ｓ2、Ｓ3、Ｓ4、Ｓ6、Ｓ7」の位置は、図２（Ｂ）に示すように記憶してある。
【００１６】
そこで、先ず、Ｘ軸方向の位置Ｘａを求めると、
Ｘａ＝ｍａｘ（Ｓ2（ｘ）＋Ｓ3（ｘ）＋Ｓ4（ｘ）＋Ｓ6（ｘ）＋Ｓ7（ｘ））＋ｍｉｎ（Ｓ2（ｘ）＋Ｓ3（ｘ）＋Ｓ4（ｘ）＋Ｓ6（ｘ）＋Ｓ7（ｘ））／２
同様に、Ｙ軸方向の位置Ｙａは、
Ｙａ＝ｍａｘ（Ｓ2（ｙ）＋Ｓ3（ｙ）＋Ｓ4（ｙ）＋Ｓ6（ｙ）＋Ｓ7（ｙ））＋ｍｉｎ（Ｓ2（ｙ）＋Ｓ3（ｙ）＋Ｓ4（ｙ）＋Ｓ6（ｙ）＋Ｓ7（ｙ））／２
この位置（Ｘａ、Ｙａ）が、「ＩＣタグ」の存在位置とする。
【００１７】
（３）照明器具のオンオフ手段
（イ）オンオフ手段１
この方法は、前記「ＩＣタグ」の存在位置の推定手段１に基づくのもであり、「ＩＣタグ」の存在位置（ＩＤをもった従業員が存在していると推定する）を重心（Ｘｇ、Ｙｇ）として、下記要領で該当する照明器具を点灯（オン）する。
又、前記重心（Ｘｇ、Ｙｇ）を中心に、照明器具を点灯する範囲を、予め与えておき、Ｌとする。尚、このＬは円で考慮するか、正方形で考慮するかは適宜選定する。
【００１８】
点灯する照明器具の範囲を前記「Ｌ」を基に円とすると、図２（Ａ）に示す照明器具Ｒ1〜Ｒ16の設置場所（ｘ、ｙ）が、重心（Ｘｇ、Ｙｇ）で、半径Ｌ／２の範囲内にあるものを検索する。
例えば、検索結果が、照明器具Ｒ2、Ｒ3、Ｒ11、Ｒ13であるとすると、照明器具Ｒ2、Ｒ3、Ｒ11、Ｒ13を点灯するに要するスイッチＴを図２（Ａ）に示すスイッチの区分から見いだす。
そして、照明器具Ｒ2はスイッチＴB、Ｒ3はスイッチＴC、照明器具Ｒ11はスイッチＴK、照明器具Ｒ13はスイッチＴMであり、照明器具制御装置１０によって、前記該当するスイッチを接続して点灯させる。
（ロ）オンオフ手段２
この方式は、前記「ＩＣタグ」の存在位置の推定手段２に基づくのもである。そして、この方式は、前記重心位置（Ｘｇ、Ｙｇ）に替えて、位置（Ｘａ、Ｙａ）を用いるものであり、オンオフ手段１と同様な処理によって、照明器具を点灯すればよいので、説明を略す。
【００１９】
尚、前記実施例において、同じ室内に複数の従業員が存在する場合であっても、照明器具制御部Ｓから従業員の「ＩＤ」によって識別し、異なる「ＩＤ」毎に、前記の制御方法で照明器具のオンオフを行うので、複数人が居ても、１人と同様な制御方法でよい。
【００２０】
図３は、照明器具Ｒ1〜Ｒ16が、スイッチ群ＴA、ＴB、ＴC、ＴDに区分されている場合であり、スイッチＴAに対して照明器具Ｒ1〜Ｒ4、スイッチＴBに対して照明器具Ｒ5〜Ｒ8、スイッチＴCに対して照明器具Ｒ9〜Ｒ12、スイッチＴDに対して照明器具Ｒ13〜Ｒ16を割り当てる。
そして、前記例において、例えば、照明器具Ｒ2、Ｒ3、Ｒ11、Ｒ13を点灯する場合には、図３に示すように、照明器具Ｒ2、Ｒ3はスイッチＴA、照明器具Ｒ11はスイッチＴC、照明器具Ｒ13はスイッチＴDであり、照明器具制御装置１０によって、前記該当するスイッチを接続して点灯させる。
【００２１】
（第２の実施の形態）
本実施の形態は、第１の実施の形態に存在していた照明器具制御装置１０がなく、各照明器具Ｒには無線タグのセンサ２、送受信器２２、２１、制御器２０を備えている。そして、照明器具Ｒは、他の照明器具Ｒからの「無線タグの存在信号」と「照明器具ＩＤ」とを受信して、自身の照明器具を点灯するか否かを判断する。
【００２２】
図４（Ａ）は、照明器具Ｒとその照明器具Ｒに付設の照明器具制御部Ｓａの関係を示す概念図であり、図４（Ｂ）は室内に配置され、天井から吊り下げてある照明器具ＲA〜ＲPを示す図であり、図４（Ｃ）は照明器具Ｒを点灯するための条件である他の照明器具からの識別符号ＩＤである。
この照明器具制御部Ｓａには、例えば、従業員が所持する身分証明書に付設の「無線タグ（例えば、ＩＣタグ等）」を検出する無線タグ検出センサ２と共に、この無線タグの「存在信号」とその「照明器具の識別符号（ＩＤ）」を他の照明器具Ｒに送信する送信器２２を備えている。尚、この送信器２２の送信強度は、隣接する照明器具の受信器２１で受信できる強度が望ましいが、必ずしも、この強度である必要はない。
又、照明器具制御部Ｓａには、前記送信器２２からの信号を受信する受信器２１を備えていると共に、この受信器２１の受信信号に基づいて照明具１ａを点灯又は消灯する制御器２０を備えている。又、この制御器２０は照明具１ａのスイッチＳWの入切りをする。
【００２３】
従業員が仕事をする室内には、図４（Ｂ）に示すように、照明器具ＲA〜ＲPが配置してあり、各照明器具ＲA〜ＲPには前記照明器具制御部Ｓａを備えている。
又、この照明器具制御部Ｓａには、他の照明器具ＲA〜ＲPから送信器２２を介して、無線タグの「存在信号」とその「照明器具の識別符号（ＩＤ）」を読み取り、照明具１ａを点灯するか否かの「照明器具の識別符号（ＩＤ）」が、図４（Ｃ）に示すように、予め記憶されている。
【００２４】
例えば、照明具ＲAを点灯するには、「自身の照明器具ＲAからの識別信号ＩＲA（無線タグの検出）」、又は、「照明器具ＲBからの識別信号ＩＲB」、又は、「照明器具ＲEからの識別信号ＩＲE」、又は、「照明器具ＲFからの識別信号ＩＲF」を受信すると点灯する。
又、照明具ＲBを点灯するには、「自身の照明器具ＲBからの識別信号ＩＲB（無線タグの検出）」、又は、「照明器具ＲAからの識別信号ＩＲA」、又は、「照明器具ＲCからの識別信号ＩＲC」、又は、「照明器具ＲEからの識別信号ＩＲE」、「照明器具ＲFからの識別信号ＩＲF」、又は、「照明器具ＲGからの識別信号ＩＲG」の何れかを受信すると点灯する。以下、照明具ＲC〜照明具ＲPに対しても同様である。
尚、このように点灯する条件は、適宜選定できるが、本例では照明器具Ｒから近い配置の照明器具Ｒからの信号に基づくものであり、図４（Ｃ）に示してあるように予め設定してある。
又、このように、点灯する条件として、照明器具Ｒの「識別符号ＩＤ」を記憶しておいてもよいが、前記第１実施の形態のように、照明器具Ｒの位置を記憶しておいて、予め点灯するに当たって距離をもって点灯するか否かを判断してもよい。
【００２５】
次に、前記構成における照明器具Ｒのオンオフの制御について記載する。
尚、従業員が所持している「ＩＣタグ」による無線タグ検出センサ２は、感度が異なり、室内に入った従業員の位置から同じ距離であっても、存在信号を発しないことを前提にしている。
（１）存在信号検知手段
従業員が室内に入ると、照明器具制御部Ｓに付設の無線タグ検出センサ２は、従業員が所持している「ＩＣタグ」を検知し、「存在信号」と「照明器具の識別符号（ＩＤ）」を他の照明器具Ｒに送信器２２を介して送信する。
例えば、従業員が照明器具ＲAの近くにいるとすると、照明器具ＲAの送信器２２と照明器具ＲBの送信器２２から、「存在信号」と「照明器具の識別符号（ＩＤ）」を他の照明器具Ｒに向けて発信する。
【００２６】
（２）照明器具Ｒの受信器２１
前記照明器具ＲA、ＲBの送信器２２からの「存在信号」と「照明器具の識別符号（ＩＤ）」は、その信号を受信できる範囲内に存在する他の照明器具Ｒに備えてある受信器２１で受信する。
例えば、照明器具ＲAの送信器２２から送信する照明器具の識別符号（ＩＤ）の「ＩＲA」の信号は照明器具ＲB、ＲE、ＲFで受信し、照明器具ＲBの送信器２２からの照明器具の識別符号（ＩＤ）の「ＩＲB」の信号は照明器具ＲA、ＲC、ＲE、ＲF、ＲGで受信したものとする。
【００２７】
（３）制御器２０による照明具の点灯
（イ）無線タグを検出した照明器具
照明器具ＲA、ＲBに付設の制御器２０は、自身の無線タグ検出センサ２で「ＩＣタグ」を検知したので、各制御器２０によって、照明器具ＲA、ＲBに付設のスイッチＳWを入れて、照明具１ａを点灯する。
（ロ）無線タグを検出しない照明器具
（ａ）照明器具ＲCは、照明器具ＲBの送信器２２から「ＩＲB」を受信しているので、図４（Ｃ）によって、点灯する。
（ｂ）照明器具ＲDは、何れからも受信がないので点灯しない。
（ｃ）照明器具ＲEは、照明器具ＲAと照明器具ＲBの何れからの受信しているので、図４（Ｃ）によって、点灯する。
（ｄ）照明器具ＲFは、照明器具ＲAと照明器具ＲBの何れからの受信しているので、図４（Ｃ）によって、点灯する。
（ｅ）照明器具ＲGは、照明器具ＲBからの信号を受信しているので、図４（Ｃ）によって、点灯する。
（ｆ）照明器具ＲHは、何れからも受信がないので点灯しない。
尚、その他の照明器具ＲI〜ＲPは受信がないので点灯しない。
以上のように、各照明器具ＲA〜ＲPにおいて、図４（Ｃ）に示す照明器具の識別符号（ＩＤ）を受信しているか否かで、照明器具の点灯、消灯を行う。
【００２８】
又、前記の各実施の形態においては、無線タグ検出センサを用いているが、無線タグ検出センサに替えて、音声認識センサを用いてもよい。この場合、この音声認識センサは、例えば、従業員が手を叩くことによって認識するもので、かかる手を叩く音によって音声認識センサが認識して、スイッチを入れることによって照明器具を点灯させる。尚、照明器具が点灯中であるとき、手を叩くと、スイッチを切断して照明器具を消灯させる。即ち、このスイッチは、手を叩く毎に、入切を繰り返すものを使用する。
【００２９】
ところで、無線タグの検出センサは検知対象である部屋の他の部屋、例えば、隣室、上下のフロアなどに存在する無線タグを検出してしまう可能性、所謂、誤検出をしてしまう可能性がある。その対象として、特に、前記第１の実施の形態においては、従業員（無線タグ）が室内に居るか居ないかを判断し、居ると判断した場合のみ、その無線タグを検知対象であると判断するのが望ましい。
このように制御することによって、他の室に居る従業員の無線タグを検出しても、制御する室において誤検出の影響がなくなる。又、従業員が居る居ないの判断は、例えば、従業員が所有する無線タグがが部屋への出入りを検出する装置（入退室検知装置）を扉の入口（付近）と出口（付近）に設置して、若しくは、出入口にセットして、該無線タグの部屋への入りと出を判断する方法を採用することができる。
【００３０】
更に、前記扉に施錠装置を具備し、その施錠装置は普段、閉錠状態にしておき、前記入退室検知装置が無線タグを検知しないと、つまり、出又は入りを検知しないと、前記施錠装置が開錠しないような構成も可能である。
尚、入退室検知装置が検知した情報を照明器具に報知する方法は、従来、良く知られているように、無線式或は有線式で伝達すればよい。
又、照明器具を点灯するに当たっては、即座に、明かるくするのが望ましいが、消灯するに当たっては、例えば、インバータ制御により、徐々に消灯していくのが、安全面において望ましい。
また、従業員が所有する無線タグに対し、前記では室内器具として照明器具を例としての制御について説明したが、室内器具として空調器具の制御、施錠管理等に適用できる。
【図面の簡単な説明】
【００３１】
【図１】第１の実施の形態における、（Ａ）は、照明器具とその照明器具に付設の照明器具制御部の関係を示す概念図、（Ｂ）は室内に配置され、天井から吊り下げてある照明器具と照明器具制御部の配置図、（Ｃ）は照明器具制御装置の概念図である。
【図２】（Ａ）は照明器具の設置場所とスイッチの区分図、（Ｂ）は照明器具制御部の設置場所を示す図である。
【図３】（Ａ）は他の照明器具制御装置の概念図、（Ｂ）は他の照明器具の設置場所とスイッチの区分図である。
【図４】第２の実施の形態における、（Ａ）は照明器具とその照明器具に付設の照明器具制御部の関係を示す概念図、（Ｂ）は室内に配置され、天井から吊り下げてある照明器具と照明器具制御部の配置図、（Ｃ）は照明器具の点灯条件の表である。
【符号の説明】
【００３２】
２  無線タグ検出センサ
３  送信器
１０  照明器具制御装置
２０  制御器
２１  受信器
２２  送信器
Ｒ  照明器具
Ｓ、Ｓａ  照明器具制御部
【図１】
2007103236.tif 000003
【図２】
2007103236.tif 000004
【図３】
2007103236.tif 000005
【図４】
2007103236.tif 000006